(57)【特許請求の範囲】
【請求項１】
パチンコ球が複数列または半複数列に並んで流下し得る内幅を持つ払出流路を形成し、複数の歯列が並設されたスプロケットを該払出流路の一側に回転自在に設け、該スプロケットの各歯列の歯先面は並設されている他の歯列の歯底面に向けて小径状となるように互いに斜面状に形成されていて該各歯先面に当接したパチンコ球が該歯底面に向けて自重で移動する傾向にあるようにし、該払出流路を流下してきたパチンコ球が該スプロケットの歯間に一個ずつ咥えられ該パチンコ球の自重により該スプロケットが回転せられるようにするとともに、該払出流路の他側で該スプロケットの回転軸より下部位置にアクチュエータの作動によって該払出流路中に出没する作動体を設け、該作動体を該払出流路中に突出させたとき該作動体の先端部と該スプロケットの各歯列の歯底面との間にパチンコ球が静止されるようにしたことを特徴とするパチンコ遊技機の球払出装置。
【発明の詳細な説明】
【０００１】
【発明の属する技術分野】
本発明は、パチンコ遊技機やそれに付随する球貸出装置等に設けられる球払出装置の構造に関するものである。
【０００２】
【従来の技術】
図９に例示した従来のパチンコ遊技機の球払出装置は、作動体ａが支軸ｂにより鉛直面内で回転し得るように支持され、ソレノイドｃを作動させることによって該作動体ａの嘴状に尖った先端部ｄがパチンコ球ｅの払出流路ｆの一側に形成された窓孔ｇから該払出流路中に突出することでパチンコ球ｅの流下を制止し得るように構成されたものである。
【０００３】
ところで、従来のこのような球払出装置では、例えば停電時等に作動体ａが払出流路ｆ中に突出したときその先端部ｄが偶然にもパチンコ球ｅの真中心を突くと、図１０に示したように該パチンコ球ｅがその先端部ｄと相対する側壁との間に挟まって架橋状態となり、該パチンコ球ｅは中途半端な状態となって球センサの検知に異常をもたらすとともにソレノイドに過大な負荷が掛り故障の原因となることがあった。
【０００４】
また、従来の球払出装置は、払出流路中にてパチンコ球が連なって流下するので、通過球検出センサに払出球数を検出させる際に検出ミスが生じ、過剰にパチンコ球を払出してしまうおそれがあった。
【０００５】
なお、同様の問題は、モータによってスプロケットを回転させることによりパチンコ球を払い出す構造のスプロケット式球払出装置、および、モータによってスクリューを回転させることによりパチンコ球を払い出す構造のスクリュー式球払出装置においても生じるものであった。
【０００６】
なお、特許第３１４３０２５号に係る賞球払出装置は、上記払出流路ｆに設けられた作動体ａと相対する側壁にスプロケットを設けたものであったが、そのスプロケットの位置，形状は、先端部ｄにて押圧されたパチンコ球ｅを依然として相対する側壁に圧接させてしまうものであったので、図１０に示したようにパチンコ球ｅを架橋状態にするという問題点を何ら解消させるものではない。
【０００７】
また、一般に球払出装置の上部には整流器が設けられ、球タンクに貯留されたパチンコ遊技機が該整流器を通ることにより一列に整列され球払出装置に導かれるようにしているが、一列に整列させる過程で球詰りが生じ易いという問題があるとともに、一列の球払出では払い出し能力（単位時間当りの払出球数）が小さいために、一時の多量に払出す要請に間に合わないという問題がある。
【０００８】
【発明が解決しようとする課題】
本発明は上記問題点を解消し、十分な払い出し能力を持つとともに、常に円滑に作動し得る球払出装置を提供しようとするものである。
【０００９】
【課題を解決するための手段】
そのために本発明の球払出装置は、パチンコ球が複数列または半複数列に並んで流下し得る内幅を持つ払出流路を形成し、複数の歯列が並設されたスプロケットを該払出流路の一側に回転自在に設け、該払出流路を流下してきたパチンコ球が該スプロケットの歯間に一個ずつ咥えられ該パチンコ球の自重により該スプロケットが回転せられるようにするとともに、該払出流路の他側で該スプロケットの回転軸より下部位置にアクチュエータの作動によって該払出流路中に出没する作動体を設け、該作動体を該払出流路中に突出させたとき該作動体の先端部と該スプロケットの各歯列の歯底面との間にパチンコ球が静止されるようにしたことを特徴とする。
また本発明は上記球払出装置において、作動体の先端部が払出流路中に突出する途中過程で、スプロケットの中心とパチンコ球と該先端部とが略々一直線に並ぶ際も該パチンコ球の外周面と歯底面との間にはなおも隙間が形成されるように設定したことを特徴とする。
また本発明は上記球払出装置において、スプロケットの各歯列の歯先面は回転方向に向けてより大径となる斜面状に形成されていて該歯先面に当接したパチンコ球の重量が該スプロケットに回転トルクを及ぼすものであることを特徴とする。
また本発明は上記球払出装置において、スプロケットの各歯列の歯先面は並設されている他の歯列の歯底面に向けて小径状となるように互いに斜面状に形成されていて該各歯先面に当接したパチンコ球が該歯底面に向けて自重で移動する傾向にあるようにしたことを特徴とする。
また本発明は上記球払出装置において、スプロケットの各歯列は払出流路内にて連なっているパチンコ球どうしを非接触状態に離間させる歯厚を持つものであることを特徴とする。
また本発明は上記球払出装置において、スプロケットの各歯列は互いに半ピッチずつ位相をずらして並設したものであることを特徴とする。
【００１０】
【発明の実施の形態】
次に図面に従い本発明の実施の形態を説明する。図１は本発明に係る球払出装置の縦断面図、図２はそのＡ−Ａ線断面図、図３はそのＢ−Ｂ線断面図である。１はパチンコ遊技機の裏側に設けられた球タンク等に連通し、パチンコ球ｐが図２に示されるように千鳥状に左右に交互に並んで流下し得る内幅（２４ｍｍ程度）を持つようにケーシング２に形成された払出流路である。
【００１１】
３は該払出流路の一側に回転軸４によって鉛直面内で回転自在なるように支持されたスプロケットで、該スプロケットは、図４にも示したように、夫々３つの歯を持つ歯列３ａと歯列３ｂが互いに半ピッチずつ位相をずらして並設され、払出流路１を流下してきたパチンコ球ｐが該スプロケットの歯間に一個ずつ咥えられ該パチンコ球の自重により該スプロケットが矢印の方向に回転せられる。なお、各歯列３ａ，３ｂの歯先面５ａ，５ｂは回転方向に向けてより大径となる斜面状に形成されていて該歯先面に当接したパチンコ球ｐの重量によっても該スプロケットを矢印の方向に回転させる回転トルクが及ぼされるようにしている。また、該各歯先面５ａ，５ｂは互いに並設された他の歯列の歯底面６ａ，６ｂに向けて小径状となるように僅かながら斜面状に形成されていて該各歯先面に当接したパチンコ球ｐが該歯底面に向けて自重で移動する傾向にあるようにしている。また、該各歯列３ａ，３ｂの歯厚ｔは払出流路内１にて連なっているパチンコ球ｐどうしを非接触状態に離間し得るものに設定されている。なお、７ａ，７ｂは該歯列３ａ，３ｂの両外側面に一体に形成されたフランジである。
【００１２】
また、８は払出流路１の他側で前記回転軸４より下部位置にて窓孔９から該払出流路中に先端部１０が出没するように支軸１１に回転自在に軸支された作動体、１２は支軸１３に回転自在に軸支された連動片で、該作動体の後端部に該連動片１２が係合され、該連動片にアクチュエータたるソレノイド１４のプランジャーヘッド１５を係止させている。このため該ソレノイド１４が励磁されることによってプランジャーヘッド１５がコイルバネ１６の弾性に抗して牽引され、該作動体８は支軸１１を中心として回転し、先端部１０を払出流路１中に出没させる。そして、図１に示されるように、払出流路１中に突出させたとき該先端部１０とスプロケット３の歯底面６ａ，６ｂとの間にパチンコ球ｐが静止されるようにしている。
【００１３】
即ち、この装置では、パチンコ球ｐの直径ｄとスプロケット３の歯底面６ａ，６ｂの半径ｒとの和が払出流路１中に突出した先端部１０と該スプロケット３の中心との距離ｍよりも大である（ｄ＋ｒ＞ｍ）ように設定することで、該先端部１０が払出流路１中に突出することにより、パチンコ球ｐを該先端部１０と歯底面６ａ，６ｂとの間に静止させることができ、これによって該パチンコ球の払出が停止される。また該先端部１０が没して、パチンコ球ｐの直径ｄとスプロケット３の歯底面６ａ，６ｂの半径ｒとの和が払出流路１中に突出した先端部１０と該スプロケット３の中心との距離ｍよりも小となる（ｄ＋ｒ＜ｍ）ことで該パチンコ球の払出が開始される。
【００１４】
また、この払出装置では、図５に示したように、払出流路１中に先端部１０が突出する途中過程で、スプロケット３の中心とパチンコ球ｐと該先端部１０とが略々一直線に並ぶときも該パチンコ球ｐの外周面とスプロケット３の歯底面６ａ，６ｂとの間に常に隙間ｇが形成されるように、該歯底面の形状，寸法および回転軸４の位置が決められる。この隙間ｇがあると先端部１０が突出する際パチンコ球ｐが該先端部によって押されても該パチンコ球ｐは該スプロケット３を回転させつつこの隙間ｇに逃げ込む余裕があることとなり架橋状態となるおそれがない。
【００１５】
また、スプロケットの各歯列の歯先面は並設されている他の歯列の歯底面に向けて小径状となるように互いに斜面状に形成されている。即ち、歯列３ａの歯先面５ａは歯列３ｂの歯底面６ｂに向けて小径状となる斜面状に形成され、歯列３ｂの歯先面５ｂは歯列３ａの歯底面６ａに向けて小径状となる斜面状に形成されている。このため、該各歯先面に当接したパチンコ球は互いに他の歯列の歯底面に向けて自重で移動する傾向を持つようにしている。これは仮にパチンコ球が１球だけ歯先面５ａまたは５ｂ上に残された場合でも該パチンコ球は隣合う歯底面に転動し該スプロケットをその自重で回転させて確実に排出されるようにするためである。
【００１６】
また、該スプロケットの各歯先面５ａ，５ｂはいわゆる巴形に形成されていることから、この歯先と払出流路１の側壁との間でパチンコ球ｐが架橋状態となることが可及的に防止されるようにしている。
【００１７】
なお、１７は球計数用センサで、該センサは作動体６により静止されるパチンコ球ｐの僅かに下流位置で該作動体６から開放された直後のパチンコ球を検出する。
【００１８】
このように構成した球払出装置では、常態ではコイルバネ１６の弾性により作動体８の先端部１０が払出流路１中に突出することから、図１に示したように最下のパチンコ球ｐが歯底面６ａまたは６ｂと該先端部１０の間に挟まれて該スプロケット３の回転および該パチンコ球ｐの流下が止められる。そして球払出制御装置からの指令によりソレノイド１４が励磁されプランジャーヘッド１５が牽引され該先端部１０が払出流路１中から没すると該パチンコ球ｐはその静止が解除され自重により落下しスプロケット３を回転させることから払出流路１に並んだパチンコ球を複数列にて高速で一気に払出すことができる。
【００１９】
そして停電時、或いは、所定数のパチンコ球が払い出されたところでソレノイド１４が消磁されコイルバネ１６の弾性により先端部１０が払出流路１中に突出すると、該先端部とスプロケット３の歯底面６ａ，６ｂとの間で該パチンコ球ｐが静止されその流下が止められる。このようにスプロケット３は歯列３ａ，３ｂをパチンコ球間に挟入して回転するものでありその歯底面６ａ，６ｂが常に動くために、該歯底面と先端部８との間で球噛みを起すおそれがない。しかも該先端部８が払出流路１中に突出する途中過程で、仮に図５に示したように、パチンコ球ｐに突き当たり、スプロケット３の中心とパチンコ球ｐと該先端部８とが略々一直線に並ぶ状況があったとしても該パチンコ球ｐと歯底面３ａとの間に隙間ｇが存するようにすることで、該パチンコ球ｐが逃げ込む余裕があることから架橋状態となり球噛み，球詰りを起すようなおそれは一層確実に解消される。
【００２０】
そして歯列３ａ，３ｂは払出流路１内にて連なっているパチンコ球ｐ間に介入しパチンコ球どうしを非接触状態に離間させるので、球計数用センサ１７による検知が容易となり検知ミスがなくなって払出球数に過不足が生じるのを確実に防止する。なお、パチンコ球が払出されてからセンサに検知されるまでのタイムラグを踏まえ過剰払出を防止するためはスプロケット３の歯厚ｔを調節することでも対処できる。
【００２１】
一方、図６に示した実施形態は、スプロケット３の上流に緩傾斜状の払出流路１を形成するとともに図７に示したようにその横断面を山形に形成することで隣り合うパチンコ球どうしがなるべく離間し両サイド寄りを流れるように配慮するとともに、作動体８の先端部１０についても図８に示したように山形に形成することで、隣り合うパチンコ球どうしが干渉することのないように配慮したものである。これによって、パチンコ球が複数列または半複数列に並んで流下させる際の互いのパチンコ球の干渉による球詰りのおそれを解消させる。なお、払出流路１の横断面を山形に形成することによってはパチンコ球ｐが両サイド寄りを流れスプロケット３の中央部に落下するのを防ぐことから、パチンコ球が歯先面５ａ，５ｂの角に当って衝撃でその角を破損，磨耗させるようなことが防がれるとともに、パチンコ球が両サイドからより確実にスプロケットの歯間に咥えられるようになり、スプロケットの回転をスムースにする。なお、同様の趣旨で払出流路１に仕切壁を設けてもよい。
【００２２】
また、上記スプロケット３を金属製等にして外周面を導電性材料で形成するようにし回転軸４にアースコードを接触させ外部へ導電すれば、パチンコ球ｐの静電気がその接触によって逃がされ、帯電による誤作動等を防止できるようになる。
【００２３】
また、球計数用センサ１７には光学式や磁気式等種々のセンサを使用可能であるとともに、その取付位置についてもこの実施形態に限られるものではない。また、スプロケット３の回転をセンサによって検出することで払出球を計数するようにしてもよい。
【００２４】
また、図示しないが、スプロケット３が回転する際にその動力で回転するようにファンを設け、該ファンが回転するときに起きる風でソレノイド１４等が冷却されるようにし、その焼き付きを防止するようにすることも可能である。
【００２５】
また、上記実施形態ではパチンコ球の流下を静止する作動体を回転自在に軸支した例を説明したが、作動体はスライド移動する形態に設けられていてもよい。また、作動体の形態も図示したものの他、スプロケット状のもの、或いはスクリュー状のもの等、他の形態のものにも適用できる。
【００２６】
【発明の効果】
以上説明したように本発明の球払出装置は、パチンコ球が複数列または半複数列に並んで流下し得る内幅を持つ払出流路を形成し、複数の歯列が並設されたスプロケットを該払出流路の一側に回転自在に設け、該払出流路を流下してきたパチンコ球が該スプロケットの歯間に一個ずつ咥えられ該パチンコ球の自重により該スプロケットが回転せられるようにするとともに、該払出流路の他側で該スプロケットの回転軸より下部位置にアクチュエータの作動によって該払出流路中に出没する作動体を設け、該作動体を該払出流路中に突出させたとき該作動体の先端部と該スプロケットの各歯列の歯底面との間にパチンコ球が静止されるようにしたので、パチンコ球を複数列にて高速で払出すことができるとともに、スプロケットの常なる回転によりパチンコ球が架橋状態になることなく球詰りを確実に防ぐことができ、トラブルなく常に円滑にパチンコ球を払出せる効果がある。
【図面の簡単な説明】
【図１】本発明に係るパチンコ遊技機の球払出装置の実施形態を示した縦断面図。
【図２】図１のＡ−Ａ線断面図。
【図３】図１のＢ−Ｂ線断面図。
【図４】図１の球払出装置のスプロケットの斜視図。
【図５】図１の作動状態図。
【図６】本発明に係るパチンコ遊技機の球払出装置の他の実施形態を示した縦断面図。
【図７】図６のＣ−Ｃ線断面図。
【図８】図６の球払出装置の作動体の斜視図。
【図９】従来の球払出装置の縦断面図。
【図１０】図９の作動状態図。
【符号の説明】
ｐ          パチンコ球
ｇ          隙間
１          払出流路
３          スプロケット
３ａ，３ｂ  歯列
４          回転軸
５ａ，５ｂ  歯先面
６ａ，６ｂ  歯底面
８          作動体
１０        先端部
１４        ソレノイド（アクチュエータ）
【図１】
0004132782.tif 000002
【図２】
0004132782.tif 000003
【図３】
0004132782.tif 000004
【図４】
0004132782.tif 000005
【図５】
0004132782.tif 000006
【図６】
0004132782.tif 000007
【図７】
0004132782.tif 000008
【図８】
0004132782.tif 000009
【図９】
0004132782.tif 000010
【図１０】
0004132782.tif 000011